(57)【特許請求の範囲】
【請求項１】
操作者に対する操作案内を表示する表示手段と、
前記操作案内として、複数の画面で構成される操作手順を、予め定められた速度で各画面を順番に繰り返し再生し、又は当該各画面の繰り返し再生を一時停止していずれかの画面を静止画で表示することによって、前記表示手段に表示させる表示制御手段と、
前記表示手段の表示を別の画面に切り替える指示を操作者から受け付ける指示受付手段と、
前記表示制御手段による前記表示手段での静止画表示を解除する解除指示を受け付ける一時停止解除手段とを備え、
前記表示制御手段は、前記表示手段に前記繰り返し再生を表示させているときに、前記表示手段の表示を別の画面に切り替える指示が前記指示受付手段に受け付けられた場合、前記表示手段の表示を別の画面に切り替えるとともに前記繰り返し再生を一時停止して当該別の画面を静止画で表示させ、当該静止画の表示時に、前記一時停止解除手段に前記解除指示が受け付けられた場合には、当該一時停止を解除して前記繰り返し再生を再開させる画像形成装置。
【請求項２】
前記表示手段に表示される前記複数の画面で構成される操作手順に対応する操作が完了したか否かと、前記表示手段に前記静止画で表示されている画面により案内される操作が完了したか否かとを判断する判断手段を更に備え、
前記表示制御手段は、前記表示手段での前記静止画の表示時に、前記判断手段によって、前記静止画で表示されている画面により案内される操作が完了したと判断され、前記複数の画面で構成される操作手順に対応する操作は完了していないと判断された場合には、前記一時停止解除手段に前記解除指示が受け付けられていなくても、前記繰り返し再生を再開させる請求項１に記載の画像形成装置。
【請求項３】
前記指示受付手段は、前記別の画面への表示切替指示として、前記表示手段の表示を１つ前の画面に切り替える指示を受け付け、
前記表示制御手段は、当該表示切替指示が前記指示受付手段に受け付けられた場合、前記表示手段の表示を１つ前の画面に切り替えるとともに、当該１つ前の画面を静止画で表示させる請求項１に記載の画像形成装置。
【請求項４】
前記指示受付手段は、前記別の画面への表示切替指示として、前記表示手段の表示を前記操作手順の第１番目の画面に切り替える指示を受け付け、
前記表示制御手段は、当該表示切替指示が前記指示受付手段に受け付けられた場合、前記表示手段の表示を前記第１番目の画面に切り替えるとともに、当該第１番目の画面を静止画で表示させる請求項１に記載の画像形成装置。
【発明の詳細な説明】
【技術分野】
【０００１】
本発明は、複写機、ファクシミリ装置、複合機等の画像形成装置に関する。
【背景技術】
【０００２】
従来から、複写機、ファクシミリ装置、複合機等の画像形成装置では、紙詰まり等のエラーが発生した場合には、当該エラーの解除手順を示す複数の操作を、表示装置が次々と表示を進行させて動画表示するものが知られている（例えば、特許文献１）。この画像形成装置は、動画を１コマ次に進めるコマ送りキー、動画を一時停止させる一時停止キー、静止画を拡大表示させる拡大表示キー等を備え、操作者が所望の画面を表示装置に表示させることができるようになっている。
【特許文献１】特開２００５−２０８３３５号公報
【発明の開示】
【発明が解決しようとする課題】
【０００３】
上記特許文献１に示された画像形成装置では、操作者は、上記コマ送りキー、一時停止キー、拡大表示キー等を操作すれば、表示中の操作とは異なる別の画面を表示装置に表示させることができるが、別の画面を長時間表示させる場合は、複数のキーを押下して面倒な操作を行わなければならない。例えば、操作者は、コマ送りキーと一時停止キーの両方の操作等が必要になる。表示装置で動画再生により操作手順を案内する場合には、表示画面が順次遷移していくので、画面切り替え及び画面切り替え速度調整は、簡単な操作で実現できることが望まれる。
【０００４】
本発明は、上記問題点を解消するためになされたものであり、操作者が、表示装置に表示された操作案内に従って操作を行う場合に、簡単な操作でもって、別の画面に切り替えて長時間確認することができる画像形成装置を提供することを目的とする。
【課題を解決するための手段】
【０００５】
請求項１に記載の発明は、操作者に対する操作案内を表示する表示手段と、
前記操作案内として、複数の画面で構成される操作手順を、予め定められた速度で各画面を順番に繰り返し再生し、又は当該各画面の繰り返し再生を一時停止していずれかの画面を静止画で表示することによって、前記表示手段に表示させる表示制御手段と、
前記表示手段の表示を別の画面に切り替える指示を操作者から受け付ける指示受付手段と、
前記表示制御手段による前記表示手段での静止画表示を解除する解除指示を受け付ける一時停止解除手段とを備え、
前記表示制御手段は、前記表示手段に前記繰り返し再生を表示させているときに、前記表示手段の表示を別の画面に切り替える指示が前記指示受付手段に受け付けられた場合、前記表示手段の表示を別の画面に切り替えるとともに前記繰り返し再生を一時停止して当該別の画面を静止画で表示させ、当該静止画の表示時に、前記一時停止解除手段に前記解除指示が受け付けられた場合には、当該一時停止を解除して前記繰り返し再生を再開させる画像形成装置である。
【０００６】
また、請求項２に記載の発明は、請求項１に記載の画像形成装置であって、前記表示手段に表示される前記複数の画面で構成される操作手順に対応する操作が完了したか否かと、前記表示手段に前記静止画で表示されている画面により案内される操作が完了したか否かとを判断する判断手段を更に備え、
前記表示制御手段は、前記表示手段での前記静止画の表示時に、前記判断手段によって、前記静止画で表示されている画面により案内される操作が完了したと判断され、前記複数の画面で構成される操作手順に対応する操作は完了していないと判断された場合には、前記一時停止解除手段に前記解除指示が受け付けられていなくても、前記繰り返し再生を再開させるものである。
【０００７】
これらの構成では、指示受付手段に、表示手段の表示を別の画面に切り替える指示が操作者から受け付けられれば、表示制御手段が、表示手段の表示を別の画面に切り替え、しかも、上記繰り返し再生を一時停止して当該別の画面を静止画で表示させ、当該静止画の表示時に、上記一時停止解除手段に前記解除指示が受け付けられた場合には、当該一時停止を解除して上記繰り返し再生を再開させるので、操作者は、別画面への切替指示を指示受付手段に入力するという簡単な操作を行うだけで、表示手段に表示中の画面とは異なる別の画面を長時間確認することができる。
【０００８】
また、請求項３に記載の発明は、請求項１に記載の画像形成装置であって、前記指示受付手段は、前記別の画面への表示切替指示として、前記表示手段の表示を１つ前の画面に切り替える指示を受け付け、
前記表示制御手段は、当該表示切替指示が前記指示受付手段に受け付けられた場合、前記表示手段の表示を１つ前の画面に切り替えるとともに、当該１つ前の画面を静止画で表示させるものである。
【０００９】
この構成では、指示受付手段に、表示手段の表示を別の画面に切り替える操作者からの指示が受け付けられれば、表示制御手段が、１つ前の操作を静止画で表示手段に表示させるので、操作者は、簡単な操作で、表示中の画面から１つ前に戻らせた画面を、長時間確認することができる。
【００１０】
また、請求項４に記載の発明は、請求項１に記載の画像形成装置であって、前記指示受付手段は、前記別の画面への表示切替指示として、前記表示手段の表示を前記操作手順の第１番目の画面に切り替える指示を受け付け、
前記表示制御手段は、当該表示切替指示が前記指示受付手段に受け付けられた場合、前記表示手段の表示を前記第１番目の画面に切り替えるとともに、当該第１番目の画面を静止画で表示させるものである。
【００１１】
この構成では、指示受付手段に、表示手段の表示を別の画面に切り替える指示が受け付けられれば、表示制御手段が、操作手順をなす第１番目の画面を静止画で表示手段に表示させるので、操作者は、簡単な操作で、操作手順をなす第１番目の画面に切り替えて当該画面を長時間確認することができる。
【発明の効果】
【００１２】
請求項１及び請求項２に記載の発明によれば、操作者は、別画面への切替指示を指示受付手段に入力するという簡単な操作を行うだけで、表示手段に表示中の画面とは異なる別の画面を長時間確認することができる。
【００１３】
請求項３に記載の発明によれば、操作者は、簡単な操作で、表示中の画面から１つ前に戻らせた画面を、長時間確認することができる。
【００１４】
請求項４に記載の発明によれば、操作者は、簡単な操作で、操作手順をなす第１番目の画面に切り替えて当該画面を長時間確認することができる。
【発明を実施するための最良の形態】
【００１５】
以下、本発明に係る画像形成装置の一例として本発明の一実施の形態による複合機について図面を参照しながら説明する。
【００１６】
図１は、本発明の一実施の形態による複合機の構成を主に示す側面概略図である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００１７】
操作部４００は、ＬＣＤ（Liquid Crystal Display）等からなる表示部（表示手段）４１０と、操作者から操作指示が入力される操作キー部４３０を備える。表示部４１０は、タッチパネルとＬＣＤとを組み合わせたタッチパネルユニット等から構成される。表示部４１０は、種々の操作画面を表示すると共に、操作者が表示面（表示されている操作キー）をタッチすることで、表示部４１０に表示させる操作を別の操作に切り替える指示等、種々の機能の実行指令を入力することが可能である。操作キー部４３０は、スタートキー及びテンキー等を備える。
【００１８】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００１９】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２０】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２１】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２２】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２３】
図２は、図１に示す複合機の制御ブロック図である。複合機１は、スキャナ部１１、画像処理部２１、プリンタ部３１、操作部４００、制御部５１、ネットワークＩ／Ｆ（インターフェース）部７１、及びＨＤＤ（ハードディスクドライブ）７４を備える。
【００２４】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２５】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２６】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２７】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像データ及び当該画像データに設定されている出力形式等を記憶する。
【００２８】
操作部４００は、図１に示す表示部４１０、操作キー部４３０を備える。操作キー部４３０は、スタートキー、テンキー等を有する。表示部４１０は、タッチパネル機能により、コマ送りキー４１１、一時停止キー４１２、コマ戻しキー４１３を備える。コマ送りキー４１１は、表示部４１０の表示画面を次の画面に切り替える指示を受け付ける。一時停止キー４１２は、表示部４１０の表示画面を一時停止させて静止画とする指示と、表示画面の一時停止を解除する指示とを受け付ける。なお、一時停止解除受付時には、一時停止キー４１２を、再び表示画面の再生を開始させる再生キーとして表示させてもよい。コマ戻しキー４１３は、表示部４１０の表示画面を１つ前の画面に切り替える指示を受け付ける。
【００２９】
制御部５１は、ＣＰＵ５２と、表示画像データ記憶部５３とを備える。ＣＰＵ５２は、複合機１の動作制御を司るものである。表示画像データ記憶部５３は、表示部４１０に表示させる各種の静止画像データ、動画データ等を記憶している。
【００３０】
ＣＰＵ５２は、動作制御部５２１、エラー検知部５２２、及び表示制御部５２３を備える。動作制御部５２１は、複合機１の各部（スキャナ部１１，画像処理部２１、プリンタ部３１等）の動作制御を司る。エラー検知部５２２は、複合機１の動作中における各部の動作エラーを検知する。動作エラーとは、例えば、給紙カセット２０１から排出トレイ２１０までを繋ぐ用紙搬送路や、原稿給送部６００の原稿搬送部６０３等における紙詰まりや、画像形成部３３及び転写部３４等の故障による異常停止等である。
【００３１】
表示制御部（表示制御手段）５２３は、表示部４１０の動作を制御するものである。表示制御部５２３は、操作者に対する操作案内画面を表示させる。例えば、表示制御部５２３は、エラー検知部５２２によって上記動作エラーが検知されたときに、表示画像データ記憶部５３から必要な動画データを読み出して再生したり、表示画像データ記憶部５３から必要な静止画像データを読み出して、動作エラーを解除するための操作手順をアニメーション的に示す画面や、コピー機能等の各機能についての指示の入力を受け付けるための案内画面等を表示部４１０に表示させる。
【００３２】
判断部５２４は、複合機１の各部に設けられたセンサからの信号等に基づいて、操作者によって、動作エラー解除のための各操作が完了されたか否かを判断する。
【００３３】
次に、複合機１による動作エラー発生時の表示部４１０の画面表示制御を説明する。図３は動作エラー発生時の表示部４１０の画面表示制御を示すフローチャート、図４はコピー動作中を示す表示画面の例を示す図、図５は紙詰まりの動作エラー発生時の操作手順を示す表示画面の遷移を示す図である。
【００３４】
複合機１では、動作制御部５２１が、操作部４００に入力された操作者からの操作指示等に基づく動作を各部に行わせているとき、例えば、動作制御部５２１が、スキャナ部１１、画像処理部２１及びプリンタ部３１にコピー動作を行わせている場合、表示制御部５２３は、図４に示すようなコピー動作中を示す表示画面を表示部４１０に表示させている（Ｓ１）。以下、コピー動作を行っている場合を例にして説明する。
【００３５】
上記コピー動作中に、エラー検知部５２２が、例えば紙詰まりの動作エラーを検知すると（Ｓ２でＹＥＳ）、表示制御部５２３は、表示画像データ記憶部５３から、当該紙詰まりの動作エラーを解消するために必要となる操作手順に対応する動画データを読み出し、当該データを再生して、表示部４１０に表示させる（Ｓ３）。このとき、表示部４１０には、例えば、図５(1)〜(8)に示すように、紙詰まりの動作エラーを解消する操作手順をなす一連の操作を示す各画面が、予め定められた速度で順番に切り替えて表示され、アニメーション的に動画表示される。表示制御部５２３は、図５の(2)で、本体カバーを開ける様子をアニメーション表示させたり、図５の(5)(6)で、カセットから用紙が取り出される様子をアニメーション表示させる。これにより、操作者は、動作エラー解消のために行わなければならない操作を、視覚的及び直感的に把握できる。なお、表示制御部５２３は、図５の(8)の表示を終えると、図５の(1)からの表示を繰り返す。これにより、操作者は、表示部４１０の当該表示画面を視認することによって、紙詰まりを解消するために必要な最初の操作から最後の操作までを、容易に把握することができるようになっている。
【００３６】
表示制御部５２３が、上記動画表示を表示部４１０に表示させているときに、操作者による操作で、コマ送りキー４１１、一時停止キー４１２、又はコマ戻しキー４１３に、表示部４１０の画面表示を切り替える指示（以下、表示切替指示）が受け付けられると（Ｓ４でＹＥＳ）、表示制御部５２３は、この表示切替指示の内容に基づいて、以下の処理を行う。
【００３７】
コマ戻しキー４１３に、表示部４１０の表示画面を１つ前の画面に切り替える指示が受け付けられた場合（Ｓ５で「コマ戻しキー」）、表示制御部５２３は、その時点で表示させている画面を１つ前の画面に切り替え、更に切り替え後の画面を一時停止させた静止画として、表示部４１０に表示させる（Ｓ６２）。例えば、表示制御部５２３が、図５の(5)に示す画面を表示部４１０に表示させているときに、コマ戻しキー４１３に操作者から上記指示が受け付けられると、表示制御部５２３は、図５の(4)に示す画面を表示部４１０に表示させ、この状態で表示を一時停止させる。画面切替を当該画面で一時停止させるもので、この画面でのアニメーション的な動画再生は一時停止してもしなくてもよい（Ｓ６１乃至Ｓ６４について同じ）。
【００３８】
また、表示制御部５２３は、コマ送りキー４１１で、表示部４１０の表示画面を１つ後の画面（１つ先に進めた画面）に切り替える指示が受け付けられた場合（Ｓ５で「コマ送りキー」）、その時点で表示させている画面を１つ後の画面（次の画面）に切り替え、更に切り替え後の画面を一時停止させた静止画として、表示部４１０に表示させる（Ｓ６１）。例えば、表示制御部５２３が、図５の(5)に示す画面を表示部４１０に表示させているときに、コマ送りキー４１１に操作者から上記指示が受け付けられると、表示制御部５２３は、図５の(6)に示す画面を表示部４１０に表示させ、この状態で表示を一時停止させる。
【００３９】
さらに、表示制御部５２３は、一時停止キー４１２が、表示部４１０の表示画面を一時停止の指示を受け付けた場合（Ｓ５で「一時停止キー」）、その時点で表示させている画面を一時停止させた静止画として、表示部４１０に表示させる（Ｓ６３）。例えば、表示制御部５２３が、図５の(5)に示す画面を表示部４１０に表示させているときに、一時停止キーに操作者から上記指示が受け付けられると、表示制御部５２３は、その時点で表示中の図５(5)に示す画面を一時停止させて表示部４１０に表示させる。
【００４０】
そして、表示制御部５２３が、上記いずれかの処理により表示部４１０の表示を一時停止させているときに、操作者による一時停止キー４１２の操作で、一時停止表示の解除が受け付けられると（Ｓ７でＹＥＳ）、表示制御部５２３は、この一時停止させている画面から、当該操作手順の動画データの再生を再開する（Ｓ１０）。この後、処理はＳ４に戻る。
【００４１】
また、表示制御部５２３が、上記のように表示部４１０の表示を一時停止させているとき、一時停止表示の解除が受け付けられなくても（Ｓ７でＮＯ）、判断部５２４によって、表示部４１０に案内させている操作が操作者により完了されたと判断された場合には（Ｓ８でＹＥＳ）、当該紙詰まりの動作エラーを解消するために必要な操作がまだ完了していないと判断部５２４によって判断されれば（Ｓ９でＹＥＳ）、表示制御部５２３は、当該操作手順の動画データの再生を再開する（Ｓ１０）。この後、処理はＳ４に戻る。なお、判断部５２４が、表示部４１０に案内させている操作が操作者により完了されたと判断し（Ｓ８でＹＥＳ）、当該紙詰まりの動作エラーを解消するために必要な操作が全て完了していると判断した場合は（Ｓ９でＮＯ）、表示制御部５２３は処理を終了する。すなわち、表示制御部５２３は、表示部４１０における当該操作手順の動画表示を終了させる。
【００４２】
これにより、操作者は、コマ送りキー４１１又はコマ戻しキー４１３を押下するだけで、表示部４１０に、その時点で表示中の画面とは異なる別の画面を静止画で表示させることができるので、簡単な操作でもって、表示中の画面を別の画面に切り替えて長時間確認することができる。
【００４３】
なお、本発明は上記実施の形態の構成に限られず種々の変形が可能である。図６は動作エラー発生時の表示部４１０の画面表示制御の他の実施形態を示すフローチャートである。なお、図６では、図３に示した処理と同様の処理は同符号を付して説明を省略する。
【００４４】
本実施形態では、表示部４１０が、コマ送りキー４１１、一時停止キー４１２及びコマ戻しキー４１３に加えて、再スタートキーを備える。再スタートキーは、表示部４１０に操作手順をなす第１番目（最初）の画面を表示させる指示を受け付けるものである。すなわち、表示部４１０の表示画面にタッチパネル機能による再スタートキーが更に表示され、操作者による当該再スタートキーの押下により、表示部４１０に第１番目の画面を表示させる指示が受け付けられるようになっている。
【００４５】
そして、表示制御部５２３は、動作エラーを解消する操作手順を表示部４１０に表示させているとき（Ｓ３）、操作者の操作により、再スタートキーに、表示部４１０の画面表示を第１番目の画面に切り替える指示が受け付けられると（Ｓ４でＹＥＳ，Ｓ５で「再スタートキー」）、表示制御部５２３は、その時点で表示させている画面を第１番目の画面に切り替え、更に切り替え後の画面を一時停止させた静止画として、表示部４１０に表示させる（Ｓ６４）。例えば、表示制御部５２３が、図５の(2)〜(8)に示すいずれか画面を表示部４１０に表示させているとき、コマ戻しキー４１３に操作者から上記指示が受け付けられると、表示制御部５２３は、図５の(1)に示す第１番目の画面を表示部４１０に表示させ、この状態で表示を一時停止させる。
【００４６】
これにより、操作者は、簡単な操作で、操作手順をなす第１番目の操作を表示部４１０に表示させて、この第１番目の画面を長時間確認することができる。
【００４７】
本発明は、更に種々の変形が可能である。例えば、上記各実施形態では、紙詰まりの動作エラーを解消するための操作手順を表示制御部５２３が表示部４１０に表示させる場合の画面表示制御を例にして説明しているが、本発明は、画像形成部３３及び転写部３４等の故障による異常停止を解消するための操作手順を、表示制御部５２３が表示部４１０に表示させる場合の画面表示制御であってもよいことは勿論、さらには、動作エラーを解消するための操作手順に限られず、表示制御部５２３が他の操作（例えば、給紙カセットへの用紙補給の仕方等）を案内するための操作手順を表示部４１０に行わせる場合にも適用可能である。
【００４８】
また、上記各実施形態では、表示制御部５２３は、コマ送りキー４１１又はコマ戻しキー４１３で表示切替指示が受け付けられた場合、表示部４１０の表示画面を１つ後又は１つ前の画面に切り替えて、切替後の画面で静止させて表示部４１０に表示させるようにしているが、表示部４１０の表示画面を２つ以上後又は前に切り替え、その画面で静止させるようにしてもよい。
【００４９】
また、上記各実施形態では、表示制御部５２３は、コマ戻しキー４１３等で表示切替指示が受け付けられた場合、切替後の画面で静止させて表示部４１０に表示させるようにしているが、これに限らず、表示制御部５２３が、切替後の画面を次の新たな画面に切り替える速度を、コマ戻しキー４１３等に表示切替指示が受け付けられていないときに表示制御部５２３が各画面を順番に切り替えて表示する時の予め定められた速度よりも遅らせることで、操作者が当該切替後の画面を長時間視認可能となるようにしてもよい。
【００５０】
また、上記実施形態では、複合機１の構成及び処理を図１乃至図６に示しているが、これらは一例にすぎず、本発明に係る複合機１の構成及び処理をこれらに限定する趣旨ではない。
【００５１】
また、上記実施形態では、本発明に係る画像形成装置を複合機１として説明しているが、本発明に係る画像形成装置は複合機に限られない。
【図面の簡単な説明】
【００５２】
【図１】本発明の一実施の形態による複合機の構成を主に示す側面概略図である。
【図２】図１に示す複合機の制御ブロック図である。
【図３】動作エラー発生時の表示部の画面表示制御を示すフローチャートである。
【図４】コピー動作中を示す表示画面の例を示す図である。
【図５】紙詰まりの動作エラー発生時の操作手順を示す表示画面の遷移を示す図である。
【図６】動作エラー発生時の表示部の画面表示制御の他の実施形態を示すフローチャートである。
【符号の説明】
【００５３】
１        複合機
４１０      表示部
４１１      コマ送りキー
４１２      一時停止キー
４１３      コマ戻しキー
５１      制御部
５２１    動作制御部
５２２    エラー検知部
５２３    表示制御部
５２４    判別部
【図１】
0004754992.tif 000002
【図２】
0004754992.tif 000003
【図３】
0004754992.tif 000004
【図４】
0004754992.tif 000005
【図５】
0004754992.tif 000006
【図６】
0004754992.tif 000007